(57)【要約】【課題】作業性に優れるとともに破損しにくい、ハーネスカバーを備えたコネクタを提供する。【解決手段】コネクタ１はハーネスカバー２とハウジング３と係合部１０と係合受け部１５と解除案内部１６と付勢手段としての弾性突起１１とを備えている。ハーネスカバー２は係合部１０と弾性突起１１とを備えている。ハウジング３は係合部１０と係合する係合受け部１５と、弾性突起１１を受け止める弾性突起受け部２７とを備えている。解除案内部１６は第１のテーパ面１８と第２のテーパ面３３と第３のテーパ面３６とを備えている。第１のテーパ面１８は係合部の一端部４２に設けられている。第２のテーパ面３３と第３のテーパ面３６とは係合受け部の１５の一方の平行部２９ａに設けられている。【選択図】図１
2008097990.tif 000002
【特許請求の範囲】
【請求項１】
電線に取り付けられた端子金具を収容するハウジングと、前記ハウジングに取り付けられて前記電線を覆うハーネスカバーと、を備えたコネクタにおいて、
前記ハウジングと前記ハーネスカバーとのうち、一方は係合部を備え、他方は係合部と係合する係合受け部を備え、
前記係合部と前記係合受け部とのうち少なくとも一方は、前記ハウジングと前記ハーネスカバーとの取付方向に対し交差する前記ハウジングの長手方向の一端部に、前記係合部と前記係合受け部との係合を解除させる方向にこれらを案内する解除案内部を備え、
前記ハウジングと前記ハーネスカバーとのうち少なくとも一方は、前記係合部と前記係合受け部の他端部同士が互いに重なるように前記ハウジングと前記ハーネスカバーとを相対的に付勢する付勢手段を備えたことを特徴とするコネクタ。
【請求項２】
前記解除案内部は、前記係合部の一端部に設けられ且つ前記係合部の一端部に向かうにしたがって前記係合受け部から離れる方向に傾斜した第１のテーパ面を備えたことを特徴とする請求項１記載のコネクタ。
【請求項３】
前記解除案内部は、前記係合受け部の一端部に設けられ且つ前記係合受け部の一端部に向かうにしたがって前記係合部に近づく方向に傾斜した第２のテーパ面を備えたことを特徴とする請求項１または請求項２記載のコネクタ。
【請求項４】
前記解除案内部は、前記係合受け部の一端部に設けられ且つ前記ハウジングと前記ハーネスカバーとが離れる方向に向かうにしたがって前記係合部に近づく方向に傾斜した第３のテーパ面を備えたことを特徴とする請求項１ないし請求項３のうちいずれか一項に記載のコネクタ。
【発明の詳細な説明】
【技術分野】
【０００１】
本発明は、電線の接続等に使用されるコネクタにおいて、電線を保護するハーネスカバーを備えたコネクタに関する。
【背景技術】
【０００２】
自動車には多くの電子機器が搭載されており、電子機器はワイヤハーネスを介して、自動車や他の電子機器と接続されている。ワイヤハーネスと電子機器とは、それぞれが備えたコネクタ同士が嵌合することにより接続され、ワイヤハーネスは電子機器に電力や制御信号等を伝達する。ワイヤハーネスは、複数の電線と、これら電線のそれぞれの端部に取り付けられたコネクタと、を備えている。
【０００３】
これら電線は、通常まとめて一方向に導出される。コネクタは、ハーネスカバーを装着し、導出された電線の方向付けをするとともに電線を保護し、またコネクタの後部に塵が侵入することを防止する。
【０００４】
この種のコネクタは、相手方ハウジングと嵌合するハウジングと、ハウジングに装着されるハーネスカバーと、を備えている（例えば、特許文献１参照）。ハウジングは、複数の係合部を備えている。ハーネスカバーは、係合部と係合する複数の係合受け部を備えている。係合部と係合受け部とを接近させていった際に最初に接するそれぞれの端部には、少なくとも一方にテーパ面等の係合案内部が設けられている。ハウジングとハーネスカバーとを近づけ、係合部と係合受け部とを接触させると、係合案内部により係合部と係合受け部とは容易に係合する。その後、弾性復元力により元の形状に戻り、係合は保持される。以上のように、ハーネスカバーはハウジングに取り付けられる。
【特許文献１】特開２００５−２０３１６３号公報
【発明の開示】
【発明が解決しようとする課題】
【０００５】
前述した特許文献１等に記載されたコネクタは、係合部と係合受け部との少なくとも一方に係合案内部が設けられ、係合は容易に行われた。一方、係合を解除する際、即ちハーネスカバーを取り外す際には、例えばハーネスカバーとハウジングとの間に棒状の治具を差し込みこじる等の手段を取らなければならなかった。このため、作業性が悪く、またハーネスカバーやコネクタを破損する虞があった。
【０００６】
したがって、本発明の目的は、作業性に優れるとともに破損しにくい、ハーネスカバーを備えたコネクタを提供することにある。
【課題を解決するための手段】
【０００７】
前記課題を解決し目的を達成するために、請求項１に記載の本発明のコネクタは、電線に取り付けられた端子金具を収容するハウジングと、前記ハウジングに取り付けられて前記電線を覆うハーネスカバーと、を備えたコネクタにおいて、前記ハウジングと前記ハーネスカバーとのうち、一方は係合部を備え、他方は係合部と係合する係合受け部を備え、前記係合部と前記係合受け部とのうち少なくとも一方は、前記ハウジングと前記ハーネスカバーとの取付方向に対し交差する前記ハウジングの長手方向の一端部に、前記係合部と前記係合受け部との係合を解除させる方向にこれらを案内する解除案内部を備え、前記ハウジングと前記ハーネスカバーとのうち少なくとも一方は、前記係合部と前記係合受け部の他端部同士が互いに重なるように前記ハウジングと前記ハーネスカバーとを相対的に付勢する付勢手段を備えたことを特徴ととしている。
【０００８】
請求項２に記載の本発明のコネクタは、請求項１に記載のコネクタにおいて、前記解除案内部は、前記係合部の一端部に設けられ且つ前記係合部の一端部に向かうにしたがって前記係合受け部から離れる方向に傾斜した第１のテーパ面を備えたことを特徴としている。
【０００９】
請求項３に記載の本発明のコネクタは、請求項１または請求項２に記載のコネクタにおいて、前記解除案内部は、前記係合受け部の一端部に設けられ且つ前記係合受け部の一端部に向かうにしたがって前記係合部に近づく方向に傾斜した第２のテーパ面を備えたことを特徴としている。
【００１０】
請求項４に記載の本発明のコネクタは、請求項１ないし請求項３のうちいずれか一項に記載のコネクタにおいて、前記解除案内部は、前記係合受け部の一端部に設けられ且つ前記ハウジングと前記ハーネスカバーとが離れる方向に向かうにしたがって前記係合部に近づく方向に傾斜した第３のテーパ面を備えたことを特徴としている。
【００１１】
請求項１に記載した本発明のコネクタによれば、ハウジングとハーネスカバーとのうち一方は係合部を備え、他方は係合受け部を備えている。また係合部と係合受け部とのうち少なくとも一方は一端部に解除案内部を備えており、他端部同士が互いに重なるような付勢手段を備えている。このため、付勢を解除して一端部同士が互いに重なるようにすると、一端部に設けられた解除案内部により、係合部と係合受け部との係合は一端部で簡単に解除することができる。
【００１２】
請求項２に記載した本発明のコネクタによれば、解除案内部は、係合部の一端部に設けられ且つ第１のテーパ面を備えている。このため、係合受け部にテーパ面が拾われ、係合部と係合受け部との係合は一端部でより簡単に解除することができる。
【００１３】
請求項３に記載した本発明のコネクタによれば、解除案内部は、係合受け部の一端部に設けられ且つ第２のテーパ面を備えている。このため、係合部にテーパ面が拾われ、係合部と係合受け部との係合は一端部でより簡単に解除することができる。
【００１４】
請求項４に記載した本発明のコネクタによれば、解除案内部は、係合受け部の一端部に設けられ且つ第３のテーパ面を備えている。このため、係合部にテーパ面が拾われ、係合部と係合受け部との係合は、ハウジングとハーネスカバーとが離れる方向でより簡単に解除することができる。
【発明の効果】
【００１５】
以上説明したように、請求項１に記載の本発明は、ハウジングとハーネスカバーとのうち一方は係合部を備え、他方は係合受け部を備えている。また係合部と係合受け部とのうち少なくとも一方は一端部に解除案内部を備えており、他端部同士が互いに重なるような付勢手段を備えている。このため、付勢を解除して一端部同士が互いに重なるようにすると、一端部に設けられた解除案内部により、係合部と係合受け部との係合は一端部側で簡単に解除することができる。したがって、ハウジングからハーネスカバーを簡単に外すことができ、作業性に優れている。また外す作業による破損はなくなる。
【００１６】
請求項２に記載の本発明は、解除案内部は、係合部の一端部に設けられ且つ第１のテーパ面を備えている。このため、係合受け部にテーパ面が拾われ、係合部と係合受け部との係合は一端部側でより簡単に解除することができる。したがって、ハウジングからハーネスカバーをさらに簡単に外すことができ、作業性に優れている。また外す作業による破損はなくなる。
【００１７】
請求項３に記載の本発明は、解除案内部は、係合受け部の一端部に設けられ且つ第２のテーパ面を備えている。このため、係合部にテーパ面が拾われ、係合部と係合受け部との係合は一端部側でより簡単に解除することができる。したがって、ハウジングからハーネスカバーをさらに簡単に外すことができ、作業性に優れている。また外す作業による破損はなくなる。
【００１８】
請求項４に記載の本発明は、解除案内部は、係合受け部の一端部に設けられ且つ第３のテーパ面を備えている。このため、係合部にテーパ面が拾われ、係合部と係合受け部との係合は、ハウジングとハーネスカバーとが離れる方向でより簡単に解除することができる。したがって、ハウジングからハーネスカバーをさらに簡単に外すことができ、作業性に優れている。また外す作業による破損はなくなる。
【発明を実施するための最良の形態】
【００１９】
本発明の一実施形態にかかるコネクタを、図１ないし図９を参照して説明する。本発明の一実施形態にかかるコネクタ１は、図１に示すように、ハーネスカバー２と、ハウジング３と、係合部１０と、係合受け部１５と、解除案内部１６と、付勢手段としての弾性突起１１と、を備えている。
【００２０】
ハーネスカバー２は、図１及び図２に示すように、端子金具が取り付けられた電線を覆うカバー部本体５と、収容した電線を一方向に導出する電線ガイド部６と、を一体に備えている。カバー部本体５は、一端が閉じた樋状に形成されている。カバー部本体５は、一対の壁７と、一対の壁７の長手方向の一端部同士を互いに連結する第１の連結壁８と、一対の壁７の短手方向の一端部同士を互いに連結するとともに第１の連結壁８と連結する第２の連結壁９と、を備えている。一対の壁７は、互いに間隔をあけて相対している。
【００２１】
電線ガイド部６は、図１及び図２に示すように、カバー部本体５と一体に成形され、カバー部本体５の第１の連結壁８から離れた端部から第１の連結壁８から離れる方向に延設されている。電線ガイド部６のハウジング３とハーネスカバー２との取付方向Ｄの幅は、カバー部本体５の前記取付方向Ｄの幅より短く形成されている。電線ガイド部６は、カバー部本体５が収容した電線を引き出し方向へガイドする。
【００２２】
なお、ハウジング３とハーネスカバー２との取付方向Ｄとは、図１に示すように、ハウジング３とハーネスカバー２とが互いに嵌合または分離する際に、ハウジング３とハーネスカバー２とが相対的に近づいたり離れたりする方向である。
【００２３】
ハウジング３は、図１に示すように、箱状のインナハウジング２３と、筒状のアウタカバー２４と、レバー２５とを備えている。インナハウジング２３は、箱状に形成され、端子収容室２６と、ハーネスカバー２の弾性突起１１を受け止める弾性突起受け部２７と、を備えている。端子収容室２６は、筒状に設けられ、電線の端末に取り付けられた端子金具を収容する。
【００２４】
弾性突起受け部２７は、図１及び図３に示すように、ハーネスカバー２と相対するインナハウジング２３の端面２８の長手方向の端部に立設されている。弾性突起受け部２７のハウジング３の内側に面した内面４１は、弾性突起１１の後述する平板片２１の外面４０と当接する。
【００２５】
アウタカバー２４は、図１及び図３に示すように、内側にインナハウジング２３を収容し、インナハウジング２３と一体に形成されている。アウタカバー２４の内面は、インナハウジング２３の外面と間隔をあけている。また、アウタカバー２４の内面には、前記内面から凸のレバー用支持突起が設けられている。レバー用支持突起は、円柱状に形成され、アウタカバー２４の長手方向の中央に設けられている。レバー用支持突起は、レバー２５の後述するガイド孔３７に侵入される。
【００２６】
レバー２５は、図１に示すように、側方からみて全体としてコ字状に形成され、一対の平板材３８と、一対の平板材３８の一端部同士を連結した連結材３９と、を備えている。一対の平板材３８は、それぞれ、帯板状に形成されている。一対の平板材３８は、互いに間隔をあけて相対しており、互いに平行である。一対の平板材３８には、ぞれぞれ、平板材３８を貫通するガイド孔３７が設けられている。ガイド孔３７内には、レバー用支持突起が侵入する。レバー２５は、ガイド孔３７を中心として回転自在にハウジング３に取り付けられる。レバー２５は、回転することにより、コネクタ１と図示しない相手方コネクタとを互いに嵌合、解除する。
【００２７】
係合部１０は、図２に示すように、ハーネスカバー２に設けられている。係合部１０は、一対の壁７のそれぞれの壁７のそれぞれの内面１２から凸に設けられている。係合部１０は、内面１２のハウジング３寄りの端部の左右両端の計四ヶ所に設けられている。係合部１０のハウジング３寄りの端部１３（図６等に示す）は、ハウジング３に近づくにしたがって内面１２に近づく方向に傾斜している。係合部１０のハウジング３から離れた端部１４（図６等に示す）は、ハウジング３から離れるにしたがって内面１２から離れる方向に傾斜している。係合部１０は、ハウジング３の後述する係合受け部１５と係合する。
【００２８】
係合受け部１５は、図１に示すように、ハウジング３に設けられている。係合受け部１５は、ハーネスカバー２と相対するインナハウジング２３の端面２８から突出して、ハーネスカバー２の四つの係合部１０と係合可能な位置に設けられている。係合受け部１５は、前記取付方向Ｄに平行な一対の平行部２９ａ、２９ｂと、前記一対の平行部２９ａ、２９ｂ同士を互いに連結する連結部３０とを備え、コ字状に形成されている。
【００２９】
一対の平行部２９ａ、２９ｂは、前記取付方向Ｄに対し交差するハウジング３の長手方向Ｃに間隔をあけて配置されている。一対の平行部２９ａ、２９ｂのうち弾性突起受け部２７寄りの一方の平行部２９ａは、係合受け部１５の前記取付方向Ｄに対し交差するハウジング３の長手方向Ｃの一端部をなしている。他方の平行部２９ｂは、係合受け部１５の前記取付方向Ｄに対し交差するハウジング３の長手方向Ｃの他端部をなしている。
【００３０】
解除案内部１６は、第１のテーパ面１８と、第２のテーパ面３３と、第３のテーパ面３６と、を備えている。第１のテーパ面１８は、図４及び図５に示すように、係合部１０の第１の連結壁８寄りの一端部４２（図４等に示す）に設けられている。即ち、係合部１０の前記取付方向Ｄに対し交差するハウジング３の長手方向Ｃの一端部４２に設けられている。第１のテーパ面１８は、第１の連結壁８に近づく（一端部４２に向かう）にしたがって、一対の壁７の内面１２に近づく（係合受け部１５から離れる）方向に傾斜している。第１のテーパ面１８は、係合部１０と後述する係合受け部１５との係合を解除させる方向にこれらを案内する。
【００３１】
第２のテーパ面３３は、図４及び図５に示すように、係合受け部１５の一方の平行部２９ａに設けられている。第２のテーパ面３３は、弾性突起受け部２７に近づく（一方の平行部２９ａに向かう）にしたがって、ハウジング３の外面３４（係合部１０）に近づく方向に傾斜している。第２のテーパ面３３は、係合部１０と係合受け部１５との係合を解除させる方向にこれらを案内する。
【００３２】
第３のテーパ面３６は、図６ないし図９に示すように、係合受け部１５の一方の平行部２９ａに設けられている。第３のテーパ面３６は、ハウジング３から離れるにしたがって、ハウジング３の外面３４（係合部１０）に近づく方向に傾斜している。第３のテーパ面３６は、係合部１０と係合受け部１５との係合を解除させる方向にこれらを案内する。第３のテーパ面３６は、前記取付方向Ｄのハーネスカバー２を外す方向へ引っ張ることで、係合部１０を解除方向に変位させる。
【００３３】
付勢手段としての弾性突起１１は、ハーネスカバー２に設けられている。弾性突起１１は、図２及び図３に示すように、第１の連結壁８の外面１９から突出して設けられている。弾性突起１１は、第１の連結壁８から立設した立設片２０と、立設片２０に連結するとともに第１の連結壁８に平行な平板片２１とを備え、断面形状が倒立Ｌ字状に形成されている。平板片２１の外面４０は、ハーネスカバー２をハウジング３に取り付けると、ハウジング３に設けられた後述する弾性突起受け部２７の内面４１に押し付けられる。平板片２１は第１の連結壁８に近づき、弾性突起１１は前記取付方向Ｄに交差するハウジング３の長手方向Ｃに弾性変形する。
【００３４】
係合受け部１５は、一対の平行部２９ａ、２９ｂと連結部３０とが形成する開口部３１に係合部１０を収容する。開口部３１の前記取付方向Ｄに交差するハウジング３の長手方向Ｃの幅は、係合部１０の前記取付方向Ｄに交差するハウジング３の長手方向Ｃの幅より大きく形成されている。係合部１０は、他方の平行部２９ｂに当接している。係合部１０は、ハウジング３とハーネスカバー２とが離れる方向には、係合部１０と係合受け部１５の連結部３０とが当接して移動できない。よって係合部１０は、開口部３１内で前記取付方向Ｄと交差するハウジング３の長手方向Ｃにのみ移動可能である。また係合部１０の他端部２２は、弾性突起１１によって、係合受け部１５の他方の平行部２９ｂと重なる方向にのみ付勢される。
【００３５】
前述した構成のコネクタ１を組み立てる際には、まず、ハウジング３内に電線が取り付けられた端子金具を収容する。レバー２５のガイド孔３７にアウタカバー２４のレバー用支持突起を通過させ、ハウジング３にレバー２５を取り付ける。ハウジング３とハーネスカバー２とを互いに接近させる。
【００３６】
次に、係合部１０と係合受け部１５とを係合させる。係合部１０のハウジング３寄りの端部１３（図６等に示す）は、ハウジング３に近づくにしたがって内面１２に近づく方向に傾斜している。よって係合部１０は係合受け部１５と接触すると、図６（前記取付方向Ｄの断面図）に示すように、係合受け部１５に乗り上げていく。そして、図７及び図８（前記取付方向Ｄの断面図）に示すように、開口部３１に侵入する。係合部１０と係合受け部１５とは係合する。
【００３７】
係合部１０と係合受け部１５との係合が完了すると、弾性突起１１は、弾性復元力により係合部１０を係合受け部１５に付勢する。弾性突起１１は、図４（前記取付方向Ｄに交差するハウジング３の長手方向Ｃの断面図）に示すように、係合部１０の他端部２２を、係合受け部１５の他方の平行部２９ｂと重なるように付勢する。係合部１０と係合受け部１５とは係止され、ハウジング３とハーネスカバー２との嵌合が保持される。
【００３８】
嵌合したハウジング３とハーネスカバー２とを外す際には、ハーネスカバー２を弾性突起１１で付勢される方向とは反対方向へスライドさせ、ハーネスカバー２の弾性突起１１をハウジング３の弾性突起受け部２７に更に押し付け、弾性突起１１を弾性変形させる。すると、係合部１０の第１のテーパ面１８と、係合受け部１５の第２のテーパ面３３とが重なり合う。
【００３９】
第１のテーパ面１８は、第１の連結壁８に近づくにしたがって、一対の壁７の内面１２に近づく方向に傾斜している。また第２のテーパ面３３は、第１の連結壁８に向かうにしたがって、ハウジング３の外面３４に近づく方向に傾斜している。よって係合部１０は、図５（前記取付方向Ｄに交差するハウジング３の長手方向Ｃの断面図）に示すように、係合受け部１５の一方の平行部２９ａを乗り上げていく。
【００４０】
最後に、ハーネスカバー２とハウジング３とを離れさせる方向に移動させる。係合受け部１５の一方の平行部２９ａには、第３のテーパ面３６が設けられており、ハウジング３から離れるにしたがって、ハウジング３の外面３４に近づく方向に傾斜している。よって係合部１０は、図９（前記取付方向Ｄの断面図）に示すように、係合受け部１５を乗り越えていく。係合部１０と係合受け部１５との係合は解除され、ハウジング３とハーネスカバー２とは完全に分離する。
【００４１】
本発明によれば、ハウジング３とハーネスカバー２とのうち一方は係合部１０を備え、他方は係合受け部１５を備えている。また係合部１０と係合受け部１５とのうち少なくとも一方は一端部に解除案内部１６を備えており、他端部同士が互いに重なるような付勢手段を備えている。このため、付勢を解除して一端部同士が互いに重なるようにすると、一端部に設けられた解除案内部１６により、係合部１０と係合受け部１５との係合は一端部側で簡単に解除することができる。したがって、ハウジング３からハーネスカバー２を簡単に外すことができ、作業性に優れている。また外す作業による破損は少なくなる。
【００４２】
解除案内部１６は、係合部１０の一端部４２に設けられ且つ第１のテーパ面１８を備えている。このため、係合受け部１５にテーパ面が拾われ、係合部１０と係合受け部１５との係合は一端部側でより簡単に解除することができる。したがって、ハウジング３からハーネスカバー２をさらに簡単に外すことができ、作業性に優れている。また外す作業による破損は少なくなる。
【００４３】
解除案内部１６は、係合受け部１５の一端部に設けられ且つ第２のテーパ面３３を備えている。このため、係合部１０にテーパ面が拾われ、係合部１０と係合受け部１５との係合は一端部側でより簡単に解除することができる。したがって、ハウジング３からハーネスカバー２をさらに簡単に外すことができ、作業性に優れている。また外す作業による破損はさらに少なくなる。
【００４４】
解除案内部１６は、係合受け部１５の一端部に設けられ且つ第３のテーパ面３６を備えている。このため、係合部１０にテーパ面が拾われ、係合部１０と係合受け部１５との係合は、ハウジング３とハーネスカバー２とが離れる方向でより簡単に解除することができる。したがって、ハウジング３からハーネスカバー２をさらに簡単に外すことができ、作業性に優れている。また外す作業による破損はさらに少なくなる。
【００４５】
本実施形態においては、係合部１０は凸に形成され、係合受け部１５はコ字状に形成されていた。しかしながら、本発明では、係合部１０と係合受け部１５とは、互いに係合可能であれば、形状はどんなものであってもよい。
【００４６】
また本実施形態においては、係合部１０は第１のテーパ面１８を備え、係合受け部１５は第２のテーパ面３３と第３のテーパ面３６とを備えていた。しかしながら、本発明では、第３のテーパ面３６がなくても、第１のテーパ面１０と第２のテーパ面１８のみで係合部１０と係合受け部１５との係合を完全に解除することができる。さらに、第１のテーパ面１８と第２のテーパ面３３との少なくとも一方があれば、係合部１０と係合受け部１５との係合を解除することができる。
【００４７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４８】
【図１】本発明の一実施形態にかかるコネクタを分解して示す斜視図である。
【図２】図１に示されたハーネスカバーの別方向からの斜視図である。
【図３】図１に示されたハーネスカバーとハウジングとが嵌合した状態を示す、ＩＩＩ−ＩＩＩ線に沿う断面図である。
【図４】図３に示された係合部と係合受け部とが係合し且つ他端部同士が互いに重なるように付勢された状態を示す断面図である。
【図５】図４に示された係合部の第１のテーパ面と係合受け部の第２のテーパ面とが接触している状態を示す断面図である。
【図６】図４に示された係合部と係合受け部とが互いに接近した状態を示すＶＩ−ＶＩ線に沿う断面図である。
【図７】図６に示された係合部と係合受け部とが係合する過程の状態を示す断面図である。
【図８】図６に示された係合部と係合受け部とが係合した状態を示す断面図である。
【図９】図６に示された係合部が係合受け部の第３のテーパ面を通過中の状態を示す断面図である。
【符号の説明】
【００４９】
１    コネクタ
２    ハーネスカバー
３    ハウジング
１０    係合部
１１    弾性突起（付勢手段）
１５    係合受け部
１６    解除案内部
１８    第１のテーパ面
２２    他端部（係合部）
２９ａ    一方の平行部（係合受け部の一端部）
２９ｂ    他方の平行部（係合受け部の他端部）
３３    第２のテーパ面
３６    第３のテーパ面
４２    一端部（係合部）
【図１】
2008097990.tif 000003
【図２】
2008097990.tif 000004
【図３】
2008097990.tif 000005
【図４】
2008097990.tif 000006
【図５】
2008097990.tif 000007
【図６】
2008097990.tif 000008
【図７】
2008097990.tif 000009
【図８】
2008097990.tif 000010
【図９】
2008097990.tif 000011